(57)【特許請求の範囲】
【請求項１】
ＩＰネットワークに対するアクセス回線を終端する加入者宅内装置において、
対向する無線電話端末が有する第２の近距離無線通信手段との近距離無線通信の無線リンクを確立させて上記無線電話端末を収容する第１の近距離無線通信手段と、
アナログ電話機と接続されているアナログ有線回線を終端する、アナログ音声信号及びデジタル音声信号間の相互変換構成を付随した加入者回路と、
上記アクセス回線を終端する網インタフェース部と、
音声パケットの組立、分解や、呼制御パケットの組立、分解等のＶｏＩＰ処理部と、
当該加入者宅内装置の全体の制御を実行する制御部とを備え、
上記制御部は、上記第１の近距離無線通信手段との間と、上記加入者回路との間とで制御データを授受し、上記ＶｏＩＰ処理部との間で制御データ及び呼制御パケットを授受し、上記網インタフェース部との間で呼制御パケットを授受し、
上記ＶｏＩＰ処理部は、上記第１の近距離無線通信手段との間と、上記加入者回路との間で音声データを授受し、上記網インタフェース部との間で音声パケットを授受し、
協働して呼制御を実行する制御部及びＶｏＩＰ処理部が、上記アナログ電話機又は上記無線電話端末からの発信時には、発信のあったいずれか一方の接続要求により接続させると共に、網側からの着信時には、上記アナログ電話機及び上記無線電話端末の双方共に呼び出し、オフフックのあったいずれか一方に接続させる
ことを特徴とする加入者宅内装置。
【請求項２】
請求項１に記載の加入者宅内装置と、
近距離無線通信を行う第２の近距離無線通信手段を備え、この第２の近距離無線通信手段が、対向する加入者宅内装置が有する第１の近距離無線通信手段と確立させる無線リンクを介して上記加入者宅内装置に収容される無線電話端末と
を備えたことを特徴とする宅内電話通信システム。
【発明の詳細な説明】
【技術分野】
【０００１】
本発明は宅内電話通信システム及び加入者宅内装置に関し、例えば、ＶｏＩＰ技術を搭載したＣＰＥ（加入者宅内装置；ｃｕｓｔｏｍｅｒ  ｐｒｅｍｉｓｅｓ  ｅｑｕｉｐｍｅｎｔ）を利用したシステムに適用し得るものである。
【背景技術】
【０００２】
最近、ＶｏＩＰ技術を搭載したＣＰＥを利用するシステムが種々提案されており、しかも、回線として、ＡＤＳＬなどのブロードバンド回線を適用するシステムも提案されている（例えば、特許文献１参照）。
【０００３】
ブロードバンド回線の適用に伴い、広帯域の音声信号を電話通信することも考えられ、このような場合には、ＣＰＥに対してアナログ加入者線を介してアナログ電話機を接続することも考えられている。
【特許文献１】特開２００５−１５１２３８号公報
【発明の開示】
【発明が解決しようとする課題】
【０００４】
ところで、今日のような親子電話機が普及している状態においては、広帯域の音声信号の授受を考慮して設置されるアナログ電話機も、コードレス子機を備えることが多くなるであろう。アナログ電話機本体の送話フィルタや受話フィルタの帯域を緩和したり、又は、送話フィルタや受話フィルタの帯域に余裕があるアナログ電話機本体を適用したりして、アナログ電話機を広帯域の音声信号に対応し得るようにしても、アナログ電話機本体とコードレス子機との間は広帯域になっていないため、コードレス子機を使用するときには、広帯域の音声信号のサービスを享受することができない。
【０００５】
一方、広帯域の音声信号のサービスを享受するためには、固定設置のアナログ電話機本体のハンドセットを利用しなければならないのは不便である。
【０００６】
そのため、宅内での通話場所を制限されずに所望の電話通信サービスを享受することができる宅内電話通信システム等が望まれている。
【課題を解決するための手段】
【０００７】
第１の本発明は、ＩＰネットワークに対するアクセス回線を終端する加入者宅内装置において、（１）対向する無線電話端末が有する第２の近距離無線通信手段との近距離無線通信の無線リンクを確立させて上記無線電話端末を収容する第１の近距離無線通信手段と、（２）アナログ電話機と接続されているアナログ有線回線を終端する、アナログ音声信号及びデジタル音声信号間の相互変換構成を付随した加入者回路と、（３）上記アクセス回線を終端する網インタフェース部と、（４）音声パケットの組立、分解や、呼制御パケットの組立、分解等のＶｏＩＰ処理部と、（５）当該加入者宅内装置の全体の制御を実行する制御部とを備え、（６）上記制御部は、上記第１の近距離無線通信手段との間と、上記加入者回路との間とで制御データを授受し、上記ＶｏＩＰ処理部との間で制御データ及び呼制御パケットを授受し、上記網インタフェース部との間で呼制御パケットを授受し、（７）上記ＶｏＩＰ処理部は、上記第１の近距離無線通信手段との間と、上記加入者回路との間で音声データを授受し、上記網インタフェース部との間で音声パケットを授受し、（８）協働して呼制御を実行する制御部及びＶｏＩＰ処理部が、上記アナログ電話機又は上記無線電話端末からの発信時には、発信のあったいずれか一方の接続要求により接続させると共に、網側からの着信時には、上記アナログ電話機及び上記無線電話端末の双方共に呼び出し、オフフックのあったいずれか一方に接続させることを特徴とする。
【０００９】
第２の本発明の宅内電話通信システムは、第１の本発明の加入者宅内装置と、近距離無線通信を行う第２の近距離無線通信手段を備え、この第２の近距離無線通信手段が、対向する加入者宅内装置が有する第１の近距離無線通信手段と確立させる無線リンクを介して上記加入者宅内装置に収容される無線電話端末とを備えたことを特徴とする。
【発明の効果】
【００１０】
本発明によれば、ＩＰネットワークに対するアクセス回線を終端する加入者宅内装置に対し、電話端末を、近距離無線通信回線を介して収容させるようにしたので、宅内での通話場所を制限されずに利用者は所望する高品質の電話通信サービスを享受することができるようになる。
【発明を実施するための最良の形態】
【００１１】
（Ａ）第１の実施形態
以下、本発明による宅内電話通信システム及び加入者宅内装置の第１の実施形態を、図面を参照しながら説明する。
【００１２】
（Ａ−１）第１の実施形態の構成
図１は、第１の実施形態の宅内電話通信システムの構成を示すブロック図である。
【００１３】
図１において、第１の実施形態の宅内電話通信システム１は、加入者宅内装置（いわゆるＣＰＥ）１０及び無線電話端末２０を有し、これら加入者宅内装置１０及び無線電話端末２０はブルーツゥース（登録商標）技術により、無線で接続可能なものである。
【００１４】
加入者宅内装置１０は、網インタフェース部１１、ＣＰＵ部１２、メモリ部１３、ＶｏＩＰ処理部１４及びブルーツゥースマスタ部１５を有する。なお、ブルーツゥースマスタ部１５を除いた、網インタフェース部１１、ＣＰＵ部１２、メモリ部１３及びＶｏＩＰ処理部１４は、既存の加入者宅内装置（ＣＰＥ）に設けられているものと同様である。
【００１５】
網インタフェース部１１は、例えば、ＩＰネットワークに繋がっているＡＤＳＬ回線などのブロードバンド回線を終端する部分であり、アクセス回線がＡＤＳＬ回線であればＡＤＳＬモデム機能を発揮し、アクセス回線として光回線を用いる場合には、メディアコンバータ（光終端装置）の機能を発揮するものであり、必要に応じて、ルータ機能も担うものである。
【００１６】
ＣＰＵ部１２は、メモリ部１３に格納されている処理プログラムやデータなどに基づき、かつ、ＶｏＩＰ処理部１４と協働して当該加入者宅内装置１０の全体の制御を実行するものである。
【００１７】
ＣＰＵ部１２は、ブルーツゥースマスタ部１５から与えられた、無線電話端末２０からの制御データ（例えば、オフフックデータ、オンフックデータ、操作テンキーデータなど）に応じた処理を実行するものであり、必要に応じて、ＶｏＩＰ処理部１４に呼制御パケットを形成させて網インタフェース部１１を介してＩＰネットワーク側へ送出するものである。また、ＣＰＵ部１２は、ＶｏＩＰ処理部１４から与えられた音声パケットを網インタフェース部１１を介してＩＰネットワーク側へ送出するものである。
【００１８】
また、ＣＰＵ部１２は、ＩＰネットワーク側からの音声パケットが網インタフェース部１１を介して与えられたときには、ＶｏＩＰ処理部１４に転送するものである。ＣＰＵ部１２は、ＩＰネットワーク側からの呼制御パケットが網インタフェース部１１を介して与えられたときには、ＶｏＩＰ処理部１４に与えて分解させ、ＶｏＩＰ処理部１４と共に必要な呼処理を実行するものであり、また、必要ならば、無線電話端末２０への制御データ（例えば、リンガ鳴動の指示データ）をブルーツゥースマスタ部１５に与えるものである。
【００１９】
ＶｏＩＰ処理部１４は、例えば、ＤＳＰ等で構成されている、ＶｏＩＰ処理を実行するものである。ＶｏＩＰ処理部１４は、音声パケットの組立、分解や、呼制御パケットの組立、分解を行うものである。ＶｏＩＰ処理部１４は、ＣＰＵ部１２との間では、送受信する音声パケットや呼制御パケットを授受し、また、制御データを授受する。また、ＶｏＩＰ処理部１４は、ブルーツゥースマスタ部１５との間では、ＩＰパケット化されていない音声データを授受するものである。
【００２０】
ブルーツゥースマスタ部１５は、無線通信部として設けられているものであり、ブルーツゥースのマスタとして、無線電話端末２０との間で、ブルーツゥース技術により、データ授受を行うものである。この第１の実施形態の場合、ブルーツゥースマスタ部１５は、音声プロファイルではなくオーディオプロファイルによって、音声データを授受するようになされており、これにより、加入者宅内装置１０及び無線電話端末２０間の広帯域な音声通信を可能にしている。ブルーツゥースマスタ部１５は、制御データについては、音声データ用のオーディオプロファイルとは異なるプロファイルによって、無線電話端末２０との間で授受するようになされている。すなわち、ブルーツゥースマスタ部１５及び後述するブルーツゥーススレーブ部２１は、プロファイルの相違により、通信データが音声データであるか制御データであるかを弁別することができる。
【００２１】
加入者宅内装置１０内部においては、ブルーツゥースマスタ部１５は、制御データをＣＰＵ部１２と授受し、音声データをＶｏＩＰ処理部１４と授受する。
【００２２】
無線電話端末２０は、ブルーツゥーススレーブ部２１、Ａ／Ｄ・Ｄ／Ａ相互変換部２２、スピーカ２３、マイクロフォン２４、ＣＰＵ部２５、キーパッド部２６及びリンガ部２７を有する。
【００２３】
ブルーツゥーススレーブ部２１は、無線通信部として設けられているものであり、加入者宅内装置１０における上述したブルーツゥースマスタ部１５との協働動作によって、音声データや制御データを無線通信するものである。ブルーツゥーススレーブ部２１は、Ａ／Ｄ・Ｄ／Ａ相互変換部２２から与えられた音声データやＣＰＵ部２５から与えられた制御データを送信し、受信した音声データをＡ／Ｄ・Ｄ／Ａ相互変換部２２に与え、受信した制御データをＣＰＵ部２５に与えるものである。
【００２４】
スピーカ２３は相手端末からの受話音声を発音出力するものであり、マイクロフォン２４は利用者の送話音声を捕捉するものである。ここで、スピーカ２３及びマイクロフォン２４は、広帯域音声信号に対応できる高品質のものである。スピーカ２３及びマイクロフォン２４は、当該無線電話端末２０の筐体に組み込まれたものであっても良く、また、ハンドセット又はヘッドセットを構成し、ケーブルによって、当該無線電話端末２０の本体に接続しているものであっても良い。なお、無線電話端末２０の全体が、ハンドセット又はヘッドセット的な形状を有するものであっても良い。
【００２５】
Ａ／Ｄ・Ｄ／Ａ相互変換部２２は、マイクロフォン２４からのアナログ音声信号をデジタル音声信号（音声データ）に変換してブルーツゥーススレーブ部２１に与えると共に、ブルーツゥーススレーブ部２１からのデジタル音声信号（音声データ）をアナログ音声信号に変換してスピーカ２３に与えるものである。デジタル音声信号（音声データ）のサンプリング周波数は、広帯域音声信号に対応できる周波数となっており、Ａ／Ｄ・Ｄ／Ａ相互変換部２２は、この広帯域音声信号に対応できるサンプリング周波数に従って、Ａ／Ｄ変換又はＤ／Ａ変換を行う。
【００２６】
キーパッド部２６は、テンキーなどのキーや、数桁程度の表示ディスプレイや、ＬＥＤなどを有するものであり、利用者の操作を取り込むと共に、現状や操作内容などを表示するものである。リンガ部２７は、リンギングトーンなどを鳴動させるものである。なお、スピーカ２３及びマイクロフォン２４が当該無線電話端末２０の筐体に組み込まれているようなものの場合には、キーとして、オンフックキーやオフフックキーなども設けられている。
【００２７】
ＣＰＵ部２５は、呼制御のような複雑な制御動作は実行せず、簡単な制御を実行するものである。ＣＰＵ部２５は、プログラムに従って動作するものであるが、その実行動作が単純であるため、メモリ部の表示を省略している。ＣＰＵ部２５は、例えば、キーパッド部２６から操作キーのデータが与えられると、操作キーを表す制御データをブルーツゥーススレーブ部２１に与え、操作キーがテンキーであれば表示ディスプレイに表示させ、操作キーがＬＥＤを有する機能に関係するものであればＬＥＤを点灯、点滅、消灯制御させるものである。また例えば、ＣＰＵ部２５は、ブルーツゥーススレーブ部２１からリンガ鳴動の制御データが与えられた場合には、リンガ部２７を鳴動制御する。
【００２８】
（Ａ−２）第１の実施形態の動作
以下、第１の実施形態の宅内電話通信システム１の動作を、無線リンク確立動作、発信動作、着信動作、切断動作について説明する。
【００２９】
まず、無線リンク確立動作について説明する。電源オン状態の無線電話端末２０が、加入者宅内装置１０のブルーツゥースマスタ部１５の交信可能距離内に入ってくると、又は、加入者宅内装置１０のブルーツゥースマスタ部１５の交信可能距離内に位置している電源オフ状態の無線電話端末２０の電源がオンにされると、ブルーツゥースマスタ部１５及びブルーツゥーススレーブ部２１によるリンク確立のための一般的なブルーツゥース方式に従う通信により、加入者宅内装置１０及び無線電話端末２０間の無線リンクが確立する。
【００３０】
次に、発信動作について説明する。発信動作は、上述した加入者宅内装置１０及び無線電話端末２０間の無線リンクの確立状態を前提とする。
【００３１】
利用者は、キーパッド部２６に対し相手電話番号を入力した後に送信キーを操作する。ＣＰＵ部２５は、キーが入力される毎にそのキーを表す制御データをブルーツゥーススレーブ部２１から無線送信させる。ブルーツゥースマスタ部１５は受信した操作キーを表す制御データをＣＰＵ部１２に逐次与える。なお、ブルーツゥーススレーブ部２１からの制御データは、アナログ電話機を収容している従来の加入者宅内装置における加入者回路（ＳＬＩＣ；図示せず）からの制御データと同様なものである。
【００３２】
ＣＰＵ部１２は、相手電話番号及び送信キーを表す制御データを受信すると、ＶｏＩＰ処理部１４と協働し、接続要求用の制御パケットを形成して網インタフェース部１１からＩＰネットワーク側へ送信させると共に、ブルーツゥースマスタ部１５から、接続要求受付を表す制御データを無線送信させる。ブルーツゥーススレーブ部２１は、受信した制御データをＣＰＵ部２５に与え、ＣＰＵ部２５は、受信した制御データが接続要求受付を表す制御データであるので、リンガ部２７によってそのことを表すトーンを鳴動させる。
【００３３】
接続要求用の制御パケットの送信に応じ、やがて、網インタフェース部１１には呼出し中又は話中を表す応答制御パケットが到達する。
【００３４】
網インタフェース部１１は受信した応答制御パケットをＣＰＵ部１２に与え、ＣＰＵ部１２はＶｏＩＰ処理部１４と協働し、応答制御パケットの受信アクノリッジの制御パケットを網インタフェース部１１からＩＰネットワーク側へ送信させ、また、応答制御パケットを解析する。
【００３５】
応答制御パケットが相手話中の場合には、ＣＰＵ部１２は、ブルーツゥースマスタ部１５及びブルーツゥーススレーブ部２１間の通信によって、その旨の制御データを無線電話端末２０のＣＰＵ部２５に与えてビジートーンをリンガ部２７によって鳴動させ、ＣＰＵ部２５が利用者のオフフックキーの操作を認識することによってそのトーン鳴動も終了させる。なお、ビジートーンを加入者宅内装置１０（のＶｏＩＰ処理部１４）が生成して無線電話端末２０に与えるようなものであっても良い（リンギングバックトーンなども同様）。
【００３６】
一方、応答制御パケットが呼出し中の場合には、ＣＰＵ部１２は、ブルーツゥースマスタ部１５及びブルーツゥーススレーブ部２１間の通信によって、その旨の制御データを無線電話端末２０のＣＰＵ部２５に与え、ＣＰＵ部２５は、リンギングバックトーンをリンガ部２７によって鳴動させる。
【００３７】
相手端末の利用者がオフフックした場合にはＩＰネットワーク側からその旨の制御パケットが到来し、網インタフェース部１１が受信してＣＰＵ部１２に与える。ＣＰＵ部１２はＶｏＩＰ処理部１４と協働し、その制御パケットの受信アクノリッジの制御パケットを網インタフェース部１１からＩＰネットワーク側へ送信させ、また、その制御パケットにより相手が着信応答したことを認識する。
【００３８】
ＣＰＵ部１２はＶｏＩＰ処理部１４と協働し、相手が着信応答したことを表す制御データをブルーツゥースマスタ部１５から無線送信させると共に、ＶｏＩＰ処理部１４内部を、音声データを処理し得る状態に内部設定する。ブルーツゥーススレーブ部２１から着信応答の制御データが与えられたＣＰＵ部２５は、リンガ部２７によるリンギングバックトーンの鳴動を停止させ、Ａ／Ｄ・Ｄ／Ａ相互変換部２２を動作可能な状態にさせるなどの音声リンク確立時の制御を行う。
【００３９】
以上のように、発信動作時における、ＣＰＵ部１２及びＶｏＩＰ処理部１４による、ＩＰネットワーク側との呼制御のための通信は一般的なものである。
【００４０】
以上のようにして音声リンクが確立した状態において、マイクロフォン２４が捕捉したアナログ音声信号は、Ａ／Ｄ・Ｄ／Ａ相互変換部２２によって音声データに変換された後、ブルーツゥーススレーブ部２１からブルーツゥースマスタ部１５に無線送信され、ブルーツゥースマスタ部１５は、受信した音声データをＶｏＩＰ処理部１４に与える。なお、Ａ／Ｄ・Ｄ／Ａ相互変換部２２から出力された段階の音声データと、ブルーツゥースマスタ部１５から出力された音声データとは同一である（逆方向についても同様である）。ＶｏＩＰ処理部１４は、受信した音声データから音声パケットを組立て、ＣＰＵ部１２及び網インタフェース部１１を順次介してＩＰネットワーク側へ送出する。なお、音声パケットのシーケンス番号の付与やＩＰアドレスの挿入などのＶｏＩＰ制御処理の全てをＶｏＩＰ処理部１４が行っても良く、制御処理の一部をＣＰＵ部１２が行うようにしても良い。
【００４１】
網インタフェース部１１がＩＰネットワーク側から受信した音声パケットは、ＣＰＵ部１２を介してＶｏＩＰ処理部１４に与えられ、パケット分解がなされて音声データが復元され、その音声データが、ブルーツゥースマスタ部１５から無線送信される。音声データを受信したブルーツゥーススレーブ部２１は、受信した音声データをＡ／Ｄ・Ｄ／Ａ相互変換部２２に与えてアナログ音声信号に変換させ、スピーカ２３から発音出力させる。
【００４２】
次に、着信動作について説明する。着信動作も、上述した加入者宅内装置１０及び無線電話端末２０間の無線リンクの確立状態を前提とする。
【００４３】
ＩＰネットワーク側から接続要求の制御パケットが到来すると、網インタフェース部１１が受信してＣＰＵ部１２に与える。このとき、ＣＰＵ部１２はＶｏＩＰ処理部１４と協働し、接続要求制御パケットの受信アクノリッジの制御パケットを網インタフェース部１１からＩＰネットワーク側へ送信させ、また、接続要求受信の制御データをブルーツゥースマスタ部１５から無線送信させる。ブルーツゥーススレーブ部２１から接続要求受信の制御データが与えられたＣＰＵ部２５は、リンガ部２７によってリンギングトーンを鳴動させる（なお、着信時に振動動作させる構成を設けており、そのような動作モードであれば振動させる）。
【００４４】
利用者がキーパッド部２７のオフフックキーを操作すると、ＣＰＵ部２５は、リンギングトーンの鳴動を停止させ、Ａ／Ｄ・Ｄ／Ａ相互変換部２２を動作可能な状態にさせるなどの音声リンク確立時の制御を行うと共に、ブルーツゥーススレーブ部２１及びブルーツゥースマスタ部１５間の通信によって、着信応答の制御データを加入者宅内装置１０のＣＰＵ部１２に与える。ＣＰＵ部１２はＶｏＩＰ処理部１４と協働し、ＶｏＩＰ処理部１４内部を、音声データを処理し得る状態に内部設定すると共に、着信応答の制御パケットを網インタフェース部１１からＩＰネットワーク側に送信させ、通話路を形成させる。
【００４５】
通話状態において、利用者は、通話処理を終了させる場合には、キーパッド部２６のオンフックキーを操作する。このとき、ＣＰＵ部２５は、Ａ／Ｄ・Ｄ／Ａ相互変換部２２などを待機状態にさせるなどの制御を行うと共に、ブルーツゥーススレーブ部２１及びブルーツゥースマスタ部１５間の通信によって、切断を表す制御データを加入者宅内装置１０のＣＰＵ部１２に与える。ＣＰＵ部１２はＶｏＩＰ処理部１４と協働し、ＶｏＩＰ処理部１４内部を待機状態に復帰させると共に、切断を表す制御パケットを網インタフェース部１１からＩＰネットワーク側に送信させ、通話路を切断させる。
【００４６】
（Ａ−３）第１の実施形態の効果
第１の実施形態によれば、無線電話端末２０が、直接、加入者宅内装置１０とブルーツゥース技術によって通信し得るようにしたので、宅内での利用者の通話場所を制限することなく、アクセス回線の種類などによって許容されている所望の電話通信サービス（広帯域の音声通信サービス）を享受することができるようになる。
【００４７】
（Ｂ）第２の実施形態
次に、本発明による宅内電話通信システム及び加入者宅内装置の第２の実施形態を、図面を参照しながら説明する。
【００４８】
第２の実施形態は、加入者宅内装置１０の構成は第１の実施形態と同様であるが、無線電話端末の構成が第１の実施形態と異なっている。
【００４９】
図２は、第２の実施形態の無線電話端末２０Ａの構成を示すブロック図であり、第１の実施形態に係る図１との同一、対応部分には同一符号を付して示している。
【００５０】
第２の実施形態の無線電話端末２０Ａは、加入者宅内装置１０を介したＩＰネットワーク側との通信機能に加え、移動体公衆通信網との通信機能を有するものである。移動体公衆通信網の種類は任意で良く、以下では、基地局との間でデジタル無線通信を行う移動体公衆通信網であるとして説明する。
【００５１】
無線電話端末２０Ａは、第１の実施形態と同様な構成に加え、対基地局通信部３０、移動網用Ａ／Ｄ・Ｄ／Ａ相互変換部３１及び切替スイッチ３２を有する。
【００５２】
対基地局通信部３０は、移動体通信網との無線通信部であり、制御データをＣＰＵ部２５と授受し、音声データを移動網用Ａ／Ｄ・Ｄ／Ａ相互変換部３１を授受するものである。対基地局通信部３０とブルーツゥーススレーブ部２１とは、アンテナや電力増幅器などの一部構成要素を共用するものであっても良く、特に、基地局及び端末間の通信方式としてブルーツゥース技術を適用している移動体公衆通信網であれば、対基地局通信部３０とブルーツゥーススレーブ部２１とで多くの構成要素を共用することができる。
【００５３】
移動網用Ａ／Ｄ・Ｄ／Ａ相互変換部３１は、切替スイッチ３２を介したマイクロフォン２４からのアナログ音声信号をデジタル音声信号（音声データ）に変換して対基地局通信部３０に与えると共に、対基地局通信部３０からのデジタル音声信号（音声データ）をアナログ音声信号に変換して切替スイッチ３２を介してスピーカ２３に与えるものである。移動網用Ａ／Ｄ・Ｄ／Ａ相互変換部３１が適用しているサンプリング周波数は、移動体公衆通信網によって定まっているものである。
【００５４】
切替スイッチ３２は、ＣＰＵ部２５の制御下で、マイクロフォン２４及びスピーカ２３を、Ａ／Ｄ・Ｄ／Ａ相互変換部２２又は移動網用Ａ／Ｄ・Ｄ／Ａ相互変換部３１に接続させるものである。
【００５５】
第２の実施形態のＣＰＵ部２５は、当該無線電話端末２０Ａが、移動体公衆通信網用の端末として動作する際には、そのための呼制御も実行するものである。
【００５６】
ＣＰＵ部２５は、加入者宅内装置１０に対向する端末として動作するか、移動体公衆通信網用の端末として動作するかを判別し、その判別結果に応じて、切替スイッチ３２などの外部要素を制御したり、自己の処理を切り替えたりする。
【００５７】
例えば、キーパッド部２６に、いずれの端末として動作するかを指示するためのキーやディップスイッチなどの操作子を設けておき、ＣＰＵ部２５は、その操作子による指示内容に応じて、いずれの端末として動作するかを設定する（手動設定）。また例えば、ＣＰＵ部２５は、ブルーツゥーススレーブ部２１及びブルーツゥースマスタ部１５間の通信が可能な位置に当該無線電話端末２０Ａが存在する場合には、加入者宅内装置１０に対向する端末として動作させ、それ以外の場合に、移動体公衆通信網用の端末として動作させるように設定するようにしても良い（自動設定）。
【００５８】
以上のように、第２の実施形態によれば、第１の実施形態と同様な効果を奏すると共に、無線電話端末を、移動体公衆通信網用の端末として用いることもできるという効果をも奏することができる。すなわち、宅内用、宅外用の端末を共用させることができる。
【００５９】
（Ｃ）第３の実施形態
次に、本発明による宅内電話通信システム及び加入者宅内装置の第３の実施形態を、図面を参照しながら説明する。
【００６０】
第３の実施形態は、無線電話端末２０の構成は第１の実施形態（又は第２の実施形態）と同様であるが、加入者宅内装置の構成が第１の実施形態と異なっている。
【００６１】
図３は、第３の実施形態の加入者宅内装置１０Ｂの構成を示すブロック図であり、第１の実施形態に係る図１との同一、対応部分には同一符号を付して示している。
【００６２】
第３の実施形態の加入者宅内装置１０Ｂは、無線電話端末２０だけでなく、アナログ有線回線５１を介して、一般的な構成のアナログ電話機５０をも収容しているものである。
【００６３】
第３の実施形態の加入者宅内装置１０Ｂは、第１の実施形態と同様な構成に加え、加入者回路（ＳＬＩＣ）４０及びＡ／Ｄ・Ｄ／Ａ相互変換部４１を有する。
【００６４】
加入者回路４０は、アナログ有線回線５１を介して接続されているアナログ電話機５０を終端処理するものである。加入者回路４０は、例えば、ＰＢ信号を認識して得た制御データをＣＰＵ部１２に与えたり、ＣＰＵ部１２から与えられた制御データに応じて、アナログ有線回線５１を構成する２線間の電圧を設定したりする。加入者回路４０には、Ａ／Ｄ・Ｄ／Ａ相互変換部４１が関連して設けられている。
【００６５】
Ａ／Ｄ・Ｄ／Ａ相互変換部４１は、アナログ有線回線５１からのアナログ音声信号をデジタル音声信号（音声データ）に変換してＶｏＩＰ処理部１４に与えると共に、ＶｏＩＰ処理部１４からのデジタル音声信号（音声データ）をアナログ音声信号に変換してアナログ有線回線５１に与えるものである。ここでのデジタル音声信号（音声データ）のサンプリング周波数も、広帯域音声信号に対応できる周波数となっている。
【００６６】
この第３の実施形態の場合、ＣＰＵ部１２は、ブルーツゥースマスタ部１５との間で制御データを授受できると共に、加入者回路４０との間でも制御データを授受できるものとなっており、また、ＶｏＩＰ処理部１４は、ブルーツゥースマスタ部１５との間で音声データを授受できると共に、Ａ／Ｄ・Ｄ／Ａ相互変換部４１との間でも音声データを授受できるものとなっている。
【００６７】
協働して呼制御を実行するＣＰＵ部１２及びＶｏＩＰ処理部１４は、待機状態においては、アナログ電話機５０及び無線電話端末２０のいずれからの接続要求があっても良い状態となっており、アナログ電話機５０又は無線電話端末２０の一方から接続要求が生じた場合には、通話を終了するまで、そのための加入者宅内装置として動作する。
【００６８】
また、ＣＰＵ部１２及びＶｏＩＰ処理部１４は、着信時には、アナログ電話機５０及び無線電話端末２０の双方共に呼び出し動作させ、それに応じて、先にオフフックの制御データを与えたアナログ電話機５０又は無線電話端末２０用の加入者宅内装置として通話を終了するまで動作する
以上のように、第３の実施形態によれば、第１の実施形態と同様な効果を奏すると共に、利用者は、必要に応じて、アナログ電話機を用いて、通話を行うことができるという効果をも奏する。ここで、無線電話端末２０は、アナログ電話機５０ではなく、加入者宅内装置１０に収容されているので、第１の実施形態で言及した効果を奏することができる。
【００６９】
（Ｄ）他の実施形態
上記各実施形態においては、近距離無線通信技術としてブルーツゥース技術を適用したものを示したが、他の技術を適用しても良く、例えば、Ｚｉｇｂｅｅ方式を適用することもできる。
【００７０】
また、上記各実施形態においては、加入者宅内装置が１個の無線電話端末を収容したものを示したが、ブルーツゥースマスタ部１５を複数備えて、複数の無線電話端末を収容し、内外線通信についてのＰＢＸと同様に動作するものであっても良い。
【００７１】
さらに、上記各実施形態においては、ＶｏＩＰの呼処理を加入者宅内装置が行うものを示したが、無線電話端末側でＶｏＩＰの呼処理を行うものであっても良い。
【００７２】
さらにまた、上記各実施形態では、網インタフェース部に接続されているアクセス回線がブロードバンド回線であるものを示したが、一般的な回線（非ブロードバンド回線）であっても良い。
【図面の簡単な説明】
【００７３】
【図１】第１の実施形態の宅内電話通信システムの構成を示すブロック図である。
【図２】第２の実施形態の宅内電話通信システムにおける無線電話端末の構成を示すブロック図である。
【図３】第３の実施形態の宅内電話通信システムにおける加入者宅内装置（ＣＰＥ）の構成を示すブロック図である。
【符号の説明】
【００７４】
１…宅内電話通信システム、１０、１０Ｂ…加入者宅内装置（ＣＰＥ）、１１…網インタフェース部、１２…ＣＰＵ部、１３…メモリ部、１４…ＶｏＩＰ処理部、１５…ブルーツゥースマスタ部、２０、２０Ａ…無線電話端末、２１…ブルーツゥーススレーブ部、２２…Ａ／Ｄ・Ｄ／Ａ相互変換部、２３…スピーカ、２４…マイクロフォン、２５…ＣＰＵ部、２６…キーパッド部、２７…リンガ部、３０…対基地局通信部、３１…移動網用Ａ／Ｄ・Ｄ／Ａ相互変換部、３２…切替スイッチ、４０…加入者回路（ＳＬＩＣ）、４１…Ａ／Ｄ・Ｄ／Ａ相互変換部、５０…アナログ電話機。
【図１】
0004434107.tif 000002
【図２】
0004434107.tif 000003
【図３】
0004434107.tif 000004